(57)【特許請求の範囲】
【請求項１】
機器本体と、前記機器本体に着脱自在である蓋体と、を備えた電子機器において、
前記機器本体に前記蓋体の一端部を係止する第１係止位置と前記蓋体の一端部への係止が解除される第１解除位置とに亘って移動自在に設けられ、かつ、前記第１係止位置において前記機器本体から突出したガイドピンとの間に前記蓋体の一端部を挟んで係止する第１の係止部材と、
前記機器本体に前記蓋体の他端部を係止する第２係止位置と前記蓋体の他端部への係止が解除される第２解除位置とに亘って移動自在に設けられた第２の係止部材と、
前記第１係止位置に位置付けられた前記第１の係止部材が、前記機器本体から分離した前記蓋体の一端部から押圧されて前記第１解除位置に変位されると、前記第２の係止部材を前記第２係止位置から前記第２解除位置に変位させるとともに、前記第１の係止部材が前記第１係止位置に位置付けられて前記蓋体の前記一端部を係止すると、前記第２の係止部材を前記第２係止位置に位置付けて前記他端部に係止させる連動機構と、
を備えたことを特徴とする電子機器。
【請求項２】
前記連動機構は、
前記第１解除位置から前記第１係止位置に向かって前記第１の係止部材を付勢する第１の付勢手段と、
前記第２解除位置から前記第２係止位置に向かって前記第２の係止部材を付勢する第２の付勢手段と、
前記第１の係止部材に設けられた第１の当接部と、
前記第２の係止部材に設けられかつ前記第１の当接部と接触する第２の当接部と、を備え、
互いに接触した第１の当接部と第２の当接部は、前記第１係止位置に位置付けられた前記第１の係止部材が、前記機器本体から分離した前記蓋体の一端部から押圧されて前記第１の付勢手段の付勢力に抗して前記第１解除位置に変位されると、前記第２の係止部材を前記第２の付勢手段の付勢力に抗して前記第２解除位置に変位させるとともに、前記第１の係止部材が前記第１係止位置に位置付けられると、前記第２の係止部材を前記第２の付勢手段の付勢力により前記第２係止位置に位置付けることを特徴とする請求項１記載の電子機器。
【請求項３】
前記蓋体は、前記機器本体の一つの面に着脱自在であり、前記第１の当接部は、前記一つの面から機器本体の奥に向かうにしたがって、徐々に第２の係止部材から離れる方向に傾斜しているとともに、
前記第２の当接部は、前記一つの面から機器本体の奥に向かうにしたがって、徐々に第１の係止部材に近づく方向に傾斜していることを特徴とする請求項２記載の電子機器。
【請求項４】
前記第１の係止部材は、前記一端部を中心として前記蓋体を回転自在に支持することを特徴とする請求項１ないし請求項３のうちいずれか一項に記載の電子機器。
【発明の詳細な説明】
【０００１】
【発明の属する技術分野】
本発明は、例えば、移動体としての自動車などに装着されるオーディオ装置などの電子機器に関する。
【０００２】
【従来の技術】
例えば、移動体としての自動車のインストルメントパネル（以下インパネと呼ぶ）には、電子機器としてのＣＤプレーヤ１００（図１３及び図１４に一部を断面にして示す）が取り付けられる。ＣＤプレーヤ１００は、Compact Disc（以下ＣＤと呼ぶ）などの記録媒体が記録した情報を読み出す。
【０００３】
図１３などに例示されたＣＤプレーヤ１００は、前記インパネに取り付けられる扁平な箱状の機器本体１０１と、この機器本体１０１に着脱自在な蓋体１０２と、を備えている。機器本体１０１がインパネに取り付けられた際に、該機器本体１０１の前記自動車の乗員に相対する一つの面１０１ａには、ＣＤを通すことのできる図示しない挿入口が形成されている。
【０００４】
前記蓋体１０２は、下端部を中心として回転自在に機器本体１０１に取り付けられる。蓋体１０２は、機器本体１０１に取り付けられると、前記挿入口を開閉する。この蓋体１０２には、液晶ディスプレイ等の表示部や各種のボタンが設けられている。
【０００５】
前述した従来のＣＤプレーヤ１００は、前記蓋体１０２を前記機器本体１０１に着脱自在とするとともに、該機器本体１０１に取り付けられると挿入口を開閉するために、第１の係止部１０３と第２の係止部１０４とを備えている。第１の係止部１０３は、機器本体１０１の幅方向の両端部に設けられている。第１の係止部１０３は、前記蓋体１０２の下端部に設けられた係止ピン１０５を係止する。第１の係止部１０３は、係止ピン１０５を係止して、下端部を中心として回転自在に蓋体１０２を支持する。
【０００６】
第２の係止部１０４は、蓋体１０２の上端部に設けられた係止爪１０６を係止する。また、前述した蓋体１０２には、第２の係止部１０４の係止を解除するための解除ボタン１０７が設けられている。第２の係止部１０４は、蓋体１０２の上端部に設けられた係止爪１０６を係止して、挿入口を閉じた格好で機器本体１０１の一つの面１０１ａに蓋体１０２を取り付ける。解除ボタン１０７などが操作されることにより、第２の係止部１０４の蓋体１０２の上端部への係止が解除される。また、前記第１の係止部１０３と第２の係止部１０４の係止動作及び解除動作は、互いに独立している。
【０００７】
前述したＣＤプレーヤ１００では、前記第１の係止部１０３と第２の係止部１０４との双方を蓋体１０２の下端部または上端部に係止させて、蓋体１０２を機器本体１０１に取り付ける。使用者がＣＤを再生する際に、解除ボタン１０７を操作して、第２の係止部１０４の係止を解除する。下端部を中心として蓋体１０２を回転させて、挿入口を露出させ、その挿入口にＣＤを挿入すると自動的に該ＣＤがローディングされる。その後、挿入口を閉じる方向に蓋体１０２を回転させて、第２の係止部１０４で蓋体１０２の上端部に設けられた係止爪１０６を係止して、該蓋体１０２で挿入口を閉じる。そして、蓋体１０２のボタンなどを操作することによってＣＤの再生を行う。
【０００８】
【発明が解決しようとする課題】
前述した従来のＣＤプレーヤ１００は、前記第１の係止部１０３と第２の係止部１０４とが、互いに独立して、蓋体１０２を係止したり係止を解除する。このため、第２の係止部１０４が蓋体１０２の係止爪１０６を係止した状態であっても、図１４に示すように、第１の係止部１０３が蓋体１０２を係止していないことがあった。このとき、解除ボタン１０７を操作して、第２の係止部１０４の係止が解除されると、第１の係止部１０３が蓋体１０２を係止していないために、蓋体１０２が機器本体１０１から不意に脱落する虞があった。蓋体１０２が不意に脱落すると、該蓋体１０２が故障する虞があって望ましくない。
【０００９】
また、前述した従来のＣＤプレーヤ１００は、前記第２の係止部１０４の係止を解除すると、前記挿入口を開放した状態に蓋体１０２を回転させるための押し出しアーム１０８を備えている。押し出しアーム１０８は、側方からみてコ字状に形成されている。押し出しアーム１０８は、一端部を中心として回転自在に機器本体１０１に支持されているとともに、他端部が一つの面１０１ａから突出する方向に付勢されている。前記押し出しアーム１０８は、第２の係止部１０４の係止が解除されると、他端部が一つの面１０１ａから突出する方向に回転する。押し出しアーム１０８が、蓋体１０２を押して、挿入口を開放する状態に該蓋体１０２を回転させる。
【００１０】
前述した押し出しアーム１０８を機器本体１０１に回転自在に支持するために、押し出しアーム１０８の一端部に円柱状のピン１０９などを設け、機器本体１０１に前記ピン１０９が通ることのできる孔を形成する。そして、ピン１０９を孔内に通して、該ピン１０９の両端部にＣリング又はＥリングなどを係止することにより、前記押し出しアーム１０８を機器本体１０１に回転自在に取り付けていた。
【００１１】
しかしながら、前記ピン１０９を孔内に通して、該ピン１０９の両端部にＣリング又はＥリングを係止させるのでは、これらのＣリング又はＥリングが二つ必要になるなどの、押し出しアーム１０８を回転自在に機器本体１０１に取り付けるためにかかる部品点数が増加する傾向であった。また、前記孔内にピン１０９を通してから、該ピン１０９にＣリング又はＥリングを係止させるなどの、押し出しアーム１０８を機器本体１０１に取り付けるためにかかる工数が増加する傾向であった。このため、従来の押し出しアーム１０８の取付構造では、コストが高騰する傾向であった。
【００１２】
本発明は、このような課題に鑑みてなされたものであって、機器本体に着脱自在な蓋体が不意に脱落することを防止できる電子機器を提供することにある。
【００１３】
【課題を解決するための手段】
前記課題を解決し目的を達成するために、請求項１に記載の本発明の電子機器は、機器本体と、前記機器本体に着脱自在である蓋体と、を備えた電子機器において、前記機器本体に前記蓋体の一端部を係止する第１係止位置と前記蓋体の一端部への係止が解除される第１解除位置とに亘って移動自在に設けられ、かつ、前記第１係止位置において前記機器本体から突出したガイドピンとの間に前記蓋体の一端部を挟んで係止する第１の係止部材と、前記機器本体に前記蓋体の他端部を係止する第２係止位置と前記蓋体の他端部への係止が解除される第２解除位置とに亘って移動自在に設けられた第２の係止部材と、前記第１係止位置に位置付けられた前記第１の係止部材が、前記機器本体から分離した前記蓋体の一端部から押圧されて前記第１解除位置に変位されると、前記第２の係止部材を前記第２係止位置から前記第２解除位置に変位させるとともに、前記第１の係止部材が前記第１係止位置に位置付けられて前記蓋体の前記一端部を係止すると、前記第２の係止部材を前記第２係止位置に位置付けて前記他端部に係止させる連動機構と、を備えたことを特徴としている。
【００１４】
請求項２に記載の本発明の電子機器は、請求項１記載の電子機器において、前記連動機構は、前記第１解除位置から前記第１係止位置に向かって前記第１の係止部材を付勢する第１の付勢手段と、前記第２解除位置から前記第２係止位置に向かって前記第２の係止部材を付勢する第２の付勢手段と、前記第１の係止部材に設けられた第１の当接部と、前記第２の係止部材に設けられかつ前記第１の当接部と接触する第２の当接部と、を備え、互いに接触した第１の当接部と第２の当接部は、前記第１係止位置に位置付けられた前記第１の係止部材が、前記機器本体から分離した前記蓋体の一端部から押圧されて前記第１の付勢手段の付勢力に抗して前記第１解除位置に変位されると、前記第２の係止部材を前記第２の付勢手段の付勢力に抗して前記第２解除位置に変位させるとともに、前記第１の係止部材が前記第１係止位置に位置付けられると、前記第２の係止部材を前記第２の付勢手段の付勢力により前記第２係止位置に位置付けることを特徴としている。
【００１５】
請求項３に記載の本発明の電子機器は、請求項２記載の電子機器において、前記蓋体は、前記機器本体の一つの面に着脱自在であり、前記第１の当接部は、前記一つの面から機器本体の奥に向かうにしたがって、徐々に第２の係止部材から離れる方向に傾斜しているとともに、前記第２の当接部は、前記一つの面から機器本体の奥に向かうにしたがって、徐々に第１の係止部材に近づく方向に傾斜していることを特徴としている。
【００１６】
請求項４に記載の本発明の電子機器は、請求項１ないし請求項３のうちいずれか一項に記載の電子機器において、前記第１の係止部材は、前記一端部を中心として前記蓋体を回転自在に支持することを特徴としている。
【００１７】
請求項１に記載した本発明の電子機器によれば、連動機構が、第１の係止部材が蓋体の一端部を係止しようとすると、蓋体の他端部への係止を解除する方向に第２の係止部材を変位させる。また、連動機構は、第１の係止部材が一端部を係止すると、第２の係止部材に他端部を係止させる。このため、第１の係止部材が一端部を係止していない状態で、第２の係止部材が他端部を係止することを防止できる。
【００１８】
請求項２に記載した本発明の電子機器によれば、連動機構は、蓋体を係止する方向に第１及び第２の係止部材それぞれを付勢する第１及び第２の付勢手段と、互いに接触する第１及び第２の当接部を備えている。互いに接触する第１及び第２の当接部により、第１の係止部材が一端部を係止しようとすると、第２の係止部材が係止を解除する方向に確実に変位する。また、第１及び第２の付勢手段の付勢力により、第１の係止部材が一端部を係止すると、第２の係止部材が他端部を確実に係止する。
【００１９】
請求項３に記載した本発明の電子機器によれば、機器本体の奥に向かうにしたがって、第１の当接部は徐々に第２の係止部材から離れる方向に傾斜している。機器本体の奥に向かうにしたがって、第２の当接部は徐々に第１の係止部材に近づく方向に傾斜している。このため、第１の係止部材が一端部を係止しようとすると、第２の係止部材が係止を解除する方向に確実に変位する。なお、機器本体の奥に向かう方向とは、一つの面に直交しかつ電子機器を使用する使用者から離れる方向である。
【００２０】
請求項４に記載した本発明の電子機器によれば、第１の係止部材が一端部を係止すると、該一端部を中心として回転自在に蓋体を支持する。このため、第２の係止部材の係止を解除すると、一つの面を確実に開閉できる。
【００２１】
【発明の実施の形態】
本発明の一実施形態にかかる電子機器１を図１ないし図１２を参照して説明する。なお、各図では、記憶媒体としてのCompact Disc（以下ＣＤと呼ぶ）を後述する機器本体２内に挿入する方向をＹ方向、このＹ方向に直交しかつ機器本体２の幅方向をＸ方向、これらのＸ方向とＹ方向との双方に対し直交しかつ機器本体２の厚み方向をＺ方向として説明する。
【００２２】
図１などに示す電子機器１は、例えば、移動体としての自動車のインストルメントパネル（以下インパネと呼ぶ）に装着される。電子機器１は、例えば、ＣＤを収容して、該ＣＤに記録された情報を読み出して（再生して）音声として出力するＣＤプレーヤと、ＡＭ／ＦＭ放送電波を受信して、その受信した情報を音声として出力するＡＭ／ＦＭチューナなどを備えている。
【００２３】
電子機器１は、図１及び図２に示すように、機器本体２と、蓋体としての操作表示ユニット（オペレーションフラップ、略してオペフラともいう）３と、着脱機構４とを備えている。機器本体２は、扁平な箱状に形成されたシャーシ５と、このシャーシ５内に収容されるＣＤプレーヤとＡＭ／ＦＭチューナ等を備えている。シャーシ５は、シャーシ本体６と、シャーシ本体６の図１中手前側に取り付けられる前面パネル７とを備えている。シャーシ本体６は、図１中手前側に開口部を設けた扁平な箱状に形成されている。シャーシ本体６は、板金などが折り曲げられて形成されている。
【００２４】
前面パネル７は、前述した開口部を塞ぐ格好でシャーシ本体６に取り付けられる。前面パネル７は、略平坦な壁８と、この壁８の外縁に立設する立設壁９と、を一体に備えている。壁８は、前面パネル７がシャーシ本体６に取り付けられると前記開口部を塞ぐ。壁８の平面形状は、矩形状に形成されている。
【００２５】
壁８には、前記機器本体２の内側にＣＤを挿入したり、前記機器本体２内に収容されたＣＤを排出するための挿入口１０と、図示しないコネクタなどを設けている。挿入口１０は、壁８を貫通しており、内側にＣＤを通す。コネクタは、後述の第１の位置に位置づけられた操作表示ユニット３から機器本体２に各種の信号を伝えたり、機器本体２から操作表示ユニット３に各種の信号と電力を伝えるために用いられる。
【００２６】
また、壁８には、後述する第１の係止部材２２と、第２の係止部材２３と、押し出しアーム２４を通す開口部１１が複数設けられている。これらの開口部１１は、勿論、壁８を貫通している。さらに、壁８には、一対の位置決め突起１２（図２に示す）が設けられている。一対の位置決め突起１２は、壁８の機器本体２の奥に位置する背面から機器本体２の奥に向かって突出している。
【００２７】
このため、位置決め突起１２は、図１中のＹ方向に沿って延びている。一対の位置決め突起１２は、鉛直方向に沿って互いに間隔をあけて配されている。一対の位置決め突起１２は、前面パネル７のＸ方向の図１中手前側の端部でかつＺ方向の下端部に設けられている。なお、一対の位置決め突起１２相互間は、第１の位置決め溝２８をなしている。第１の位置決め溝２８は、Ｙ方向に沿って延びている。
【００２８】
立設壁９は、壁８の図１中手前側に位置する表面８ａのすべての縁部それぞれに設けられている。なお、操作表示ユニット３は、第１の位置において、前記複数の立設壁９で囲まれた空間に収容される。また、前記壁８の表面８ａは、本明細書に記した一つの面をなしている。このため、表面８ａには、ＣＤを通すことのできる挿入口１０が形成されている。
【００２９】
なお、シャーシ５内に収容されるＣＤプレーヤとＡＭ／ＦＭチューナは、使用者が操作表示ユニット３の各々に設けられた後述するスイッチ１５等を押圧することによって動作する。
【００３０】
操作表示ユニット３は、図１に示すように、扁平な箱状のハウジング１３と、該ハウジング１３内に収容される表示パネルとしての液晶ディスプレイ（以下ＬＣＤと呼ぶ）１４と、各種のスイッチ１５と、を備えている。ハウジング１３の平面形状は、矩形状に形成されている。ハウジング１３のＸ方向に沿った長さは、機器本体２のシャーシ５の幅と略等しい。ハウジング１３のＺ方向に沿った長さは、機器本体２のシャーシ５の厚みと略等しい。
【００３１】
ＬＣＤ１４は、使用者に対し各種の情報を表示する表示領域としての表示面を備えている。各種のスイッチ１５は、使用者が操作するための操作部を構成している。この表示面と操作部とが前記ハウジング１３の図１中手前側に位置する表面１３ａに設けられている。
【００３２】
操作表示ユニット３に設けられたスイッチ１５が使用者などに操作されることによって、例えば、ＡＭ／ＦＭチューナが電波を受信する放送局の選局が行われる。そして、操作表示ユニット３のＬＣＤ１４にその選局中の放送局の周波数や放送局名等の情報を表示させる。
【００３３】
また、操作表示ユニット３に設けられたスイッチ１５が使用者などに操作されることによって、例えば、ＣＤプレーヤが再生する曲などが選択される。そして、操作表示ユニット３のＬＣＤ１４にその選曲中のトラック番号等の情報などを表示させる。
【００３４】
また、操作表示ユニット３のＸ方向の両端部（図１中には手前側のみ示す）には、ピン１６が突出している。ピン１６は、前述したＸ方向に沿って延びている。ピン１６は、操作表示ユニット３のＺ方向の下端部３ａに設けられている。下端部３ａは、本明細書に記した一端部をなしている。
【００３５】
さらに、操作表示ユニット３のＸ方向の図１中手前側に位置する一方の端部には、係止受け突起１７と、解除ボタン１８が設けられている。係止受け突起１７は、図２に示すように、操作表示ユニット３の表面１３ａの裏側の背面３ｃから突出している。係止受け突起１７は、前記背面３ｃから機器本体２の前面パネル７の壁８に向かって突出している。係止受け突起１７には、窪み１９が設けられている。窪み１９は、係止受け突起１７の上面から凹である。
【００３６】
解除ボタン１８は、棒状に形成されている。解除ボタン１８の長手方向は、前述したＹ方向に沿って延びている。解除ボタン１８は、操作表示ユニット３のＺ方向の上端部３ｂに設けられている。上端部３ｂは、本明細書に記した他端部をなしている。解除ボタン１８は、その長手方向に沿ってスライド自在にハウジング１３に取り付けられている。解除ボタン１８の両端部は、操作表示ユニット３のハウジング１３の前述した表面１３ａと、該表面１３ａの裏側の背面３ｃとの双方から突没自在である。また、解除ボタン１８の背面３ｃ寄りの端部は、解除ボタン１８がスライド移動すると、前記窪み１９内に侵入したり該窪み１９内から抜け出る。
【００３７】
また、操作表示ユニット３は、着脱機構４により、機器本体２の前面パネル７の壁８の表面８ａに着脱自在となっている。また、操作表示ユニット３は、図５に示す前記表面８ａを覆う即ち挿入口１０を閉じる第１の位置と、図７に示す前記表面８ａの少なくとも一部を開放する即ち挿入口１０を開放する第２の位置と、に亘って、第１の係止部材２２により前記ピン１６即ち下端部３ａを中心として回転自在に支持される。
【００３８】
着脱機構４は、図２に示すように、一対のフレーム２０（図２には一方のみ示す）と、一対のガイドピン２１（図２には一方のみ示す）と、一対の第１の係止部材２２（図２には一方のみ示す）と、第２の係止部材２３と、押し出しアーム２４と、第１の付勢手段としての第１のコイルばね２５と、第２の付勢手段としての第２のコイルばね２６と、第３の付勢手段としての第３のコイルばね２７とを備えている。
【００３９】
フレーム２０は、前記機器本体２のシャーシ５内に収容される。一対のフレーム２０は、それぞれ、シャーシ５のシャーシ本体６と前面パネル７との双方に固定されている。一対のフレーム２０は、前記Ｘ方向即ち機器本体２の幅方向に沿って互いに間隔をあけて配されている。
【００４０】
一対のフレーム２０は、図８に示すように、支持溝２９と、第２の位置決め溝３０とを備えている。支持溝２９は、フレーム２０の上端に位置する縁部に開口しているとともに鉛直方向に沿って延びている。支持溝２９は、第２の係止部材２３を鉛直方向に沿ってスライド自在に支持する。第２の位置決め溝３０は、フレーム２０の下端に位置する縁部に開口しているとともに鉛直方向に沿って延びている。このため、第２の位置決め溝３０は、図１中のＺ方向に沿って延びている。
【００４１】
一対のガイドピン２１は、前面パネル７の壁８に固定されている。ガイドピン２１は、壁８の表面８ａから外方向に向かって突出している。ガイドピン２１の長手方向は、Ｙ方向に沿っている。一対のガイドピン２１は、前記Ｘ方向即ち機器本体２の幅方向に沿って互いに間隔をあけて配されている。着脱機構４により機器本体２に操作表示ユニット３が取り付けられると、一対のガイドピン２１は、Ｘ方向に沿って互いの間に操作表示ユニット３を挟みかつピン１６の下方に位置する。
【００４２】
一対の第１の係止部材２２は、それぞれフレーム２０に取り付けられる。第１の係止部材２２は、長手方向がＹ方向に沿う状態でフレーム２０に取り付けられる。第１の係止部材２２は、フレーム２０に取り付けられると、一端部２２ａが機器本体２内に収容される。他端部２２ｂが開口部１１を通して機器本体２外に突出するとともにガイドピン２１に重ねられる。
【００４３】
また、第１の係止部材２２は、一端部２２ａを中心として回転自在にフレーム２０に取り付けられる。このため、第１の係止部材２２は、フレーム２０を介して機器本体２に取り付けられる。第１の係止部材２２の他端部２２ｂには、第１の係止爪３１とテーパ面３２とが設けられている。第１の係止爪３１は、鉤状に形成されているとともに、操作表示ユニット３のピン１６を係止する。このため、第１の係止部材２２は、操作表示ユニット３の下端部３ａを係止する。第１の係止部材２２は、第１の係止爪３１とガイドピン２１との間に、ピン１６を挟む。
【００４４】
テーパ面３２は、図２に示すように、機器本体２に操作表示ユニット３を取り付けようとする際に、ピン１６と相対する。テーパ面３２は、機器本体２から突出するにしたがって徐々に上方に向かって傾斜している。
【００４５】
また、第１の係止部材２２の長手方向の中央部には、第１の当接部としての第１の傾斜面３３が形成されている。第１の傾斜面３３は、前記Ｙ方向即ち、表面８ａから機器本体２の奥に向かうにしたがって、徐々に下方即ち第２の係止部材２３から離れる方向に傾斜している。なお、機器本体２の奥に向かう方向とは、表面８ａに直交しかつ電子機器１の使用者から離れる方向である。さらに、機器本体２の奥に向かう方向とは、ＣＤが機器本体２内に挿入される方向である。
【００４６】
さらに、第１の係止部材２２の壁８の表面８ａからの機器本体２の外方向への突出量は、第２の係止部材２３の壁８の表面８ａからの機器本体２の外方向への突出量より大きい。また、第１の係止部材２２の突出量は、第２の係止部材２３の後述するテーパ面３６が係止受け突起１７に接触するよりも先に、第１の係止部材２２のテーパ面３２がピン１６に接触するようになっている。
【００４７】
第２の係止部材２３は、一対のフレーム２０のうち図１中の手前側に位置する一方のフレーム２０に取り付けられている。このため、第２の係止部材２３は、フレーム２０を介して機器本体２に取り付けられる。第２の係止部材２３は、前述したＺ方向即ち鉛直方向に沿ってスライド自在にフレーム２０に取り付けられている。第２の係止部材２３は、第１の係止部材２２の上方に配されている。
【００４８】
第２の係止部材２３は、第２の当接部としての第２の傾斜面３４と、第２の係止爪３５と、テーパ面３６を一体に備えている。第２の傾斜面３４は、機器本体２内に収容されている。第２の傾斜面３４は、第１の傾斜面３３と接触する。第２の傾斜面３４は、第１の傾斜面３３と平行である。第２の傾斜面３４は、前記Ｙ方向即ち、表面８ａから機器本体２の奥に向かうにしたがって、徐々に下方即ち第１の係止部材２２に近づく方向に傾斜している。
【００４９】
第２の係止爪３５は、開口部１１内を通して、機器本体２外に突出する。第２の係止爪３５は、鉤状に形成されている。第２の係止爪３５は、係止受け突起１７の窪み１９内に係止可能である。このため、第２の係止部材２３は、操作表示ユニット３の上端部３ｂを係止する。第２の係止部材２３は、ガイドピン２１との間にピン１６を挟んだ格好の第１の係止部材２２の第１の傾斜面３３に第２の傾斜面３４が接触した状態で、第２の係止爪３５が係止受け突起１７の窪み１９に係止する。
【００５０】
テーパ面３６は、図２に示すように、機器本体２に操作表示ユニット３を取り付けようとする際に、係止受け突起１７と相対する。テーパ面３６は、機器本体２から突出するにしたがって徐々に上方に向かって傾斜している。
【００５１】
押し出しアーム２４は、棒状の部材の両端部が互いに同じ方向に曲げられて、側方からみてコ字状に形成されている。押し出しアーム２４の一端部２４ａと他端部２４ｂとの双方は、開口部１１を通して機器本体２の外側に突出しているとともに、押し出しアーム２４の中央部は、機器本体２即ちシャーシ５内に収容されている。また、押し出しアーム２４の一端部２４ａには、突起３７が設けられている。突起３７は、円柱状に形成されかつ押し出しアーム２４の一端部２４ａからＸ方向に沿って突出している。突起３７は、前面パネル７の一対の位置決め突起１２相互間即ち第１の位置決め溝２８内とフレーム２０の第２の位置決め溝３０内に挿入されて位置決めされている。
【００５２】
押し出しアーム２４は、第１及び第２の位置決め溝２８，３０により位置決めされて、突起３７即ち一端部２４ａを中心として回転自在に支持されている。押し出しアーム２４の他端部２４ｂは、突起３７を中心として回転することで、前記開口部１１を通して機器本体２外に突出する状態と、機器本体２内に収容される状態とに亘って回転自在となる。押し出しアーム２４の他端部２４ｂは、機器本体２外に突出すると、操作表示ユニット３の背面３ｃと接触する。
【００５３】
第１のコイルばね２５は、第１の係止部材２２の一端部２２ａとフレーム２０とにかけわたされている。第１のコイルばね２５は、図示しないトーションバーと協働して、第１の係止部材２２の他端部２２ｂがガイドピン２１と接触する方向に、第１の係止部材２２を付勢している。即ち、第１のコイルばね２５は、ピン１６即ち操作表示ユニット３の下端部３ａを係止する方向に、第１の係止部材２２を付勢している。
【００５４】
第２のコイルばね２６は、第２の係止部材２３の上端部とフレーム２０とにかけわたされている。第２のコイルばね２６は、第２の係止部材２３を下方に向かって付勢している。即ち、第２のコイルばね２６は、係止受け突起１７の窪み１９即ち操作表示ユニット３の上端部３ｂを係止する方向に、第２の係止部材２３を付勢している。第２のコイルばね２６は、第２の傾斜面３４が第１の傾斜面３３に接触する方向に、第２の係止部材２３を付勢している。即ち、第２のコイルばね２６は、第２の係止部材２３を第１の係止部材２２に向かって付勢している。
【００５５】
第３のコイルばね２７は、押し出しアーム２４の一端部２４ａとフレーム２０とにかけわたされている。第３のコイルばね２７は、他端部２４ｂが機器本体２外に突出する方向に押し出しアーム２４を付勢している。
【００５６】
なお、前述した第１の傾斜面３３と、第２の傾斜面３４と、第１のコイルばね２５と、第２のコイルばね２６とで、本明細書に記した連動機構４０を構成している。前述した構成によって、連動機構４０は、第１の係止部材２２が一端部３ａを係止しようとすると、第２のコイルばね２６の付勢力に抗して、互いに接触した第１の傾斜面３３と第２の傾斜面３４により他端部３ｂへの係止を解除する方向に第２の係止部材２３が変位する。第１の係止部材２２が一端部３ａを係止すると第２のコイルばね２６の付勢力により他端部３ｂを係止する方向に第２の係止部材２３が変位する。また、前記第１の傾斜面３３と第２の傾斜面３４とが互いに接触しかつ第１及び第２のコイルばね２５，２６が前述した方向に第１及び第２の係止部材２３，２３を付勢しているので、第１の係止部材２２の第１の係止爪３１がピン１６を係止するまでは、第２の係止部材２３の第２の係止爪３５が係止受け突起１７の窪み１９に係止しない。
【００５７】
前述した構成の着脱機構４で、機器本体２に操作表示ユニット３を取り付ける場合には、まず、図２に示すように、背面３ｃと壁８の表面８ａとが平行となる状態に、操作表示ユニット３と機器本体２とを位置づける。このとき、第１の係止部材２２の他端部２２ｂがガイドピン２１と接触しているとともに、第１の傾斜面３３と第２の傾斜面３４とが互いに接触している。さらに、押し出しアーム２４の他端部２４ｂが開口部１１を通して機器本体２の外側に突出している。
【００５８】
そして、前述した背面３ｃと壁８の表面８ａとが平行なまま、表面８ａに操作表示ユニット３を近づけていく。すると、図３に示すように、第１の係止部材２２のテーパ面３２がピン１６と接触する。テーパ面３２が機器本体２から突出するにしたがって徐々に上方に傾斜しているので、第１のコイルばね２５の付勢力に抗して、他端部２２ｂがピン１６を乗り越える方向に第１の係止部材２２は回転する。
【００５９】
第１の傾斜面３３と第２の傾斜面３４とが互いに接触しており、これらの傾斜面３３，３４が前述したように傾斜しているので、図４に示すように、第２のコイルばね２６の付勢力に抗して、第２の係止部材２３が徐々に上方に向かって変位する。こうして、連動機構４０は、第１の係止部材２２がピン１６即ち操作表示ユニット３の下端部３ａを係止しようとすると、第２のコイルばね２６の付勢力に抗して、第２の係止部材２３が係止受け突起１７即ち操作表示ユニット３の上端部３ｂへの係止を解除する方向に変位する。
【００６０】
さらに、操作表示ユニット３を前面パネル７の壁８の表面８ａに近づけていくと、図５に示すように、第１の係止爪３１がピン１６を係止するとともに、第２のコイルばね２６の付勢力により第２の係止爪３５が係止受け突起１７の窪み１９を係止する。こうして、第１の係止部材２２が操作表示ユニット３の下端部３ａを係止し、第２の係止部材２３が操作表示ユニット３の上端部３ｂを係止する。このように、連動機構４０は、第１の係止部材２２が下端部３ａを係止すると、上端部３ｂを係止する方向に第２の係止部材２３を変位させて上端部３ｂを係止させる。第１の係止部材２２がピン１６を係止すると、第１の係止部材２２とガイドピン２１との間にピン１６を挟むとともに、第２の係止部材２３の第２の係止爪３５が係止受け突起１７の窪み１９内に侵入する。
【００６１】
なお、前述した図２から図５に示すように、操作表示ユニット３を機器本体２に取り付ける場合には、押し出しアーム２４の他端部２４ｂが操作表示ユニット３の背面３ｃに接触する。さらに、前記他端部２４ｂが操作表示ユニット３の背面３ｃから押されて、第３のコイルばね２７の付勢力に抗して、他端部２４ｂが機器本体２内に収容される方向に、押し出しアーム２４が回転する。
【００６２】
図５に示すように、機器本体２に操作表示ユニット３を取り付けた状態（第１の位置）から、前面パネル７の壁８の表面８ａ即ち挿入口１０を開放する際には、まず、図６に示すように、解除ボタン１８を機器本体２に向かって押す。すると、解除ボタン１８が第２の係止部材２３のテーパ面３６に接触する。すると、テーパ面３６が、機器本体２の外方向に向かうにしたがって徐々に上方に傾斜しているので、第２の係止部材２３が上方に変位する。そして、第２の係止爪３５が係止受け突起１７の窪み１９内から抜け出て、第２の係止部材２３の係止受け突起１７の窪み１９即ち操作表示ユニット３の上端部３ｂへの係止が解除される（外される）。
【００６３】
すると、第３のコイルばね２７の付勢力によって、他端部２４ｂが開口部１１を通して機器本体２外に突出する方向に、押し出しアーム２４が回転する。押し出しアーム２４の他端部２４ｂが操作表示ユニット３の背面３ｃを押して、操作表示ユニット３がピン１６即ち下端部３ａを中心として回転して、挿入口１０を開放する。こうして、操作表示ユニット３は、図５に示す第１の位置から図７に示す第２の位置にむかって変位する。図７に示す第２の位置から図５に示す第１の位置に操作表示ユニット３を変位させる際には、操作表示ユニット３の上端部３ｂが前面パネル７の壁８の表面８ａに近づく方向に、ピン１６を中心として操作表示ユニット３を回転させる。
【００６４】
また、図７に示す状態において、機器本体２から操作表示ユニット３を取り外す際には、第１のコイルばね２５及び図示しないトーションバーの付勢力に抗して、他端部２２ｂがガイドピン２１から離れる方向に第１の係止部材２２を回転させる。そして、第１の係止部材２２のピン１６即ち操作表示ユニット３の下端部３ａへの係止を解除して、操作表示ユニット３を機器本体２から取り外す。
【００６５】
さらに、以下のように、前述した着脱機構４を組み立てる、特に、フレーム２０に押し出しアーム２４を取り付けて、これらに前面パネル７を取り付ける。まず、図８に示すように、第２の位置決め溝３０が延びた方向に沿って、押し出しアーム２４をフレーム２０に近づける。そして、図９に示すように、フレーム２０の第２の位置決め溝３０内に、押し出しアーム２４の一端部２４ａの突起３７を挿入する。そののち、図１０に示すように、第３のコイルばね２７を押し出しアーム２４の一端部２４ａとフレーム２０とにかけわたす。こうして、押し出しアーム２４をフレーム２０に仮止めする。
【００６６】
その後、図１１に示すように、第１の位置決め溝２８が延びた方向に沿って、フレーム２０と押し出しアーム２４とを、前面パネル７に近づける。そして、図１２に示すように、前面パネル７の第１の位置決め溝２８内に、押し出しアーム２４の一端部２４ａの突起３７を挿入する。こうして、突起３７を、第１の位置決め溝２８内と、該第１の位置決め溝２８に交差（直交）する第２の位置決め溝３０内とに挿入して位置決めする。また、第２の位置決め溝３０内に突起３７を挿入した後、第１の位置決め溝２８内に突起３７を挿入して、突起３７即ち押し出しアーム２４の一端部２４ａを位置決めする。
【００６７】
本実施形態によれば、連動機構４０が、操作表示ユニット３を係止する方向に第１及び第２の係止部材２３，２３それぞれを付勢する第１及び第２のコイルばね２５，２６と、互いに接触する第１及び第２の傾斜面３３，３４を備えている。表面８ａから機器本体２の奥に向かうにしたがって、第１の傾斜面３３は徐々に第２の係止部材２３から離れる方向に傾斜している。表面８ａから機器本体２の奥に向かうにしたがって、第２の傾斜面３４は徐々に第１の係止部材２２に近づく方向に傾斜している。
【００６８】
このため、第１の係止部材２２が操作表示ユニット３の下端部３ａを係止しようとすると、互いに接触する第１及び第２の傾斜面３３，３４により、操作表示ユニット３の上端部３ｂへの係止を解除する方向に第２の係止部材２３は確実に変位する。
【００６９】
また、第１及び第２のコイルばね２５，２６及び図示しないトーションバーの付勢力により、第１の係止部材２２が操作表示ユニット３の下端部３ａを係止すると、第２の係止部材２３が上端部３ｂを確実に係止する。
【００７０】
このため、第１の係止部材２２が操作表示ユニット３の下端部３ａを係止していない状態で、第２の係止部材２３が上端部３ｂを係止することを防止できる。したがって、操作表示ユニット３を機器本体２に取り付けた状態で第２の係止部材２３の係止を解除しても、第１の係止部材２２が操作表示ユニット３の下端部３ａを確実に係止している。このため、操作表示ユニット３を機器本体２に取り付けた状態で第２の係止部材２３の係止を解除しても、操作表示ユニット３が機器本体２から不意に脱落することを確実に防止できる。
【００７１】
さらに、第１の係止部材２２が下端部３ａを係止すると、該下端部３ａを中心として回転自在に操作表示ユニット３を支持する。このため、第２の係止部材２３の係止を解除すると、表面８ａの少なくとも一部即ち挿入口１０を確実に開閉できる。したがって、挿入口１０を通してＣＤを機器本体２内に確実に挿入でき、機器本体２内から挿入口１０を通してＣＤを確実に排出できる。
【００７２】
前述した実施形態によれば、以下の電子機器が得られる。
（付記）  記録媒体を通すことのできる挿入口を一つの面に形成した機器本体と、前記機器本体の前記一つの面に着脱自在であるとともに前記機器本体に取り付けられると前記挿入口を覆うことのできる蓋体と、を備え、前記機器本体に取り付けられると、前記蓋体が前記挿入口を覆う第１の位置と前記挿入口を開放する第２の位置とに亘って変位自在となる電子機器において、
前記機器本体に取り付けられるフレームと、
前記一つの面を含んだパネルと、
前記機器本体に回転自在に支持されるための突起を有しかつ前記蓋体を前記第１の位置から第２の位置に向かって押す方向に付勢された押し出し部材と、
前記パネルに設けられた第１の位置決め溝と、
前記フレームに設けられかつ前記第１の位置決め溝に交差する第２の位置決め溝と、を備え、
前記突起が第１の位置決め溝内と第２の位置決め溝内に挿入されて、前記押し出し部材が前記機器本体に回転自在に支持されることを特徴とする電子機器。
【００７３】
前述した付記の電子機器は、部品点数を削減するとともに組み立てるにかかる工数を抑制することを目的としている。
【００７４】
前述した付記の電子機器によれば、押し出し部材を回転自在とするために、フレームとパネルとの他に特別な部品を設ける必要がない。また、第１の位置決め溝と第２の位置決め溝とが互いに交差しているので、突起を位置ずれすることなく、確実に回転自在に支持できる。なお、前述した実施形態の前面パネル７が前述した付記のパネルに相当し、前述した実施形態の押し出しアーム２４が前述した付記の押し出し部材に相当する。
【００７５】
【発明の効果】
以上説明したように請求項１に記載の本発明によれば、第１の係止部材が蓋体の一端部を係止しようとすると、連動機構は蓋体の他端部への係止を解除する方向に第２の係止部材を変位させる。また、第１の係止部材が一端部を係止すると、連動機構は第２の係止部材に他端部を係止させる。このため、第１の係止部材が一端部を係止していない状態で、第２の係止部材が他端部を係止することを防止できる。
【００７６】
したがって、蓋体を機器本体に取り付けた状態で第２の係止部材の係止を解除しても、第１の係止部材が蓋体の一端部を確実に係止している。このため、蓋体を機器本体に取り付けた状態で第２の係止部材の係止を解除しても、蓋体が機器本体から不意に脱落することを確実に防止できる。
【００７７】
請求項２に記載の本発明によれば、連動機構は、蓋体を係止する方向に第１及び第２の係止部材それぞれを付勢する第１及び第２の付勢手段と、互いに接触する第１及び第２の当接部を備えている。互いに接触する第１及び第２の当接部により、第１の係止部材が一端部を係止しようとすると、第２の係止部材が係止を解除する方向に確実に変位する。また、第１及び第２の付勢手段の付勢力により、第１の係止部材が一端部を係止すると、第２の係止部材が他端部を確実に係止する。
【００７８】
このため、第１の係止部材が一端部を係止していない状態で、第２の係止部材が他端部を係止することを防止できる。したがって、蓋体を機器本体に取り付けた状態で第２の係止部材の係止を解除しても、第１の係止部材が蓋体の一端部を確実に係止している。このため、蓋体を機器本体に取り付けた状態で第２の係止部材の係止を解除しても、蓋体が機器本体から不意に脱落することを確実に防止できる。
【００７９】
請求項３に記載の本発明によれば、一つの面から機器本体の奥に向かうにしたがって、第１の当接部が徐々に第２の係止部材から離れる方向に傾斜している。一つの面から機器本体の奥に向かうにしたがって、第２の当接部が徐々に第１の係止部材に近づく方向に傾斜している。このため、第１の係止部材が一端部を係止しようとすると、第２の係止部材が係止を解除する方向に確実に変位する。
【００８０】
このため、第１の係止部材が一端部を係止していない状態で、第２の係止部材が他端部を係止することを防止できる。したがって、蓋体を機器本体に取り付けた状態で第２の係止部材の係止を解除しても、第１の係止部材が蓋体の一端部を確実に係止している。このため、蓋体を機器本体に取り付けた状態で第２の係止部材の係止を解除しても、蓋体が機器本体から不意に脱落することを確実に防止できる。
【００８１】
請求項４に記載の本発明によれば、第１の係止部材が一端部を係止すると、該一端部を中心として回転自在に蓋体を支持する。このため、第２の係止部材の係止を解除すると、挿入口を確実に開閉できる。したがって、挿入口を通して記録媒体を機器本体内に確実に挿入でき、機器本体内から挿入口を通して記録媒体を確実に排出できる。
【図面の簡単な説明】
【図１】本発明の一実施形態にかかる電子機器を示す斜視図である。
【図２】図１中のＩＩ−ＩＩ線に沿う断面図である。
【図３】図２に示す状態から操作表示ユニットと機器本体とを近づけた状態を示す断面図である。
【図４】図３に示す状態から第１の係止部材が回転しかつ第２の係止部材が変位した状態を示す断面図である。
【図５】図４に示す状態から第１の係止部材がピンに係止しかつ第２の係止部材が係止受け突起の窪みに係止した状態を示す断面図である。
【図６】図５に示す状態から解除ボタンを機器本体に向かって押した状態を示す断面図である。
【図７】図６に示す状態から第２の係止部材の係止が解除されて操作表示ユニットが機器本体の挿入口を開放した状態を示す断面図である。
【図８】図１に示された電子機器のフレームに押し出しアームを取り付ける状態を示す側面図である。
【図９】図８に示された状態から互いに取り付けられた状態のフレームと押し出しアームを示す側面図である。
【図１０】図９に示された押し出しアームとフレームとに第３のコイルばねを取り付けた状態を示す側面図である。
【図１１】図１０に示された押し出しアームとフレームなどを前面パネルに取り付ける状態を示す説明図である。
【図１２】図１１に示された状態から互いに取り付けられた状態のフレームと押し出しアームなどと前面パネルを示す説明図である。
【図１３】従来のＣＤプレーヤの一部を示す断面図である。
【図１４】図１３に示されたＣＤプレーヤの第１の係止部が係止していない状態で蓋体が機器本体に取り付けられた状態を示す断面図である。
【符号の説明】
１  電子機器
２  機器本体
３  操作表示ユニット（蓋体）
３ａ  下端部（一端部）
３ｂ  上端部（他端部）
８ａ  表面（一つの面）
１０  挿入口
２２  第１の係止部材
２３  第２の係止部材
２５  第１のコイルばね（第１の付勢手段）
２６  第２のコイルばね（第２の付勢手段）
３３  第１の傾斜面（第１の当接部）
３４  第２の傾斜面（第２の当接部）
４０  連動機構
【図１】
0003986869.tif 000002
【図２】
0003986869.tif 000003
【図３】
0003986869.tif 000004
【図４】
0003986869.tif 000005
【図５】
0003986869.tif 000006
【図６】
0003986869.tif 000007
【図７】
0003986869.tif 000008
【図８】
0003986869.tif 000009
【図９】
0003986869.tif 000010
【図１０】
0003986869.tif 000011
【図１１】
0003986869.tif 000012
【図１２】
0003986869.tif 000013
【図１３】
0003986869.tif 000014
【図１４】
0003986869.tif 000015